(57)【要約】【課題】 遊技島におけるパチンコ玉貯留量の過不足状態が確実に回復させることができ、頻繁に返却制限が生じないようにパチンコ玉貯留量を調整する。【解決手段】 遊技島のパチンコ玉貯留量が４万個未満になったら、隣島の景品玉計数器の返却制限を開始し（S10，S20）、パチンコ玉貯留量が４万個以上に回復し、さらに７分経過するまでこの制限を続行する（S30〜S60）。また、パチンコ玉貯留量が１８万個以上になった場合には、自島の景品玉計数器の返却制限を開始し（S110，S120）、パチンコ玉貯留量が１８万個未満に戻り、さらに２０分経過するまでこの制限を続行する（S130〜160）。不足状態や過剰状態が確実に回復してから返却制限が解除されるので、頻繁な返却制限がなくなり、過不足のない丁度良い貯留量に調整し易くなる。【選択図】  図５
2006122725.tif 000002
【特許請求の範囲】
【請求項１】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と
を備える独立島方式の遊技場における各遊技島のパチンコ玉貯留量調整方法であって、
いずれかの遊技島においてパチンコ玉貯留量が所定の不足状態になったら当該遊技島以外の所定の遊技島へのパチンコ玉の返却制限を開始し、前記不足状態になった遊技島が当該不足前の状態に復帰してからさらに所定時間を経過した後に前記返却制限を解除することを特徴とするパチンコ玉貯留量調整方法。
【請求項２】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と
を備える独立島方式の遊技場における各遊技島のパチンコ玉貯留量調整方法であって、
いずれかの遊技島においてパチンコ玉貯留量が所定の不足状態になったら当該遊技島以外の所定の遊技島へのパチンコ玉の返却制限を開始し、前記不足状態になった遊技島が当該不足前の状態に復帰してから、さらに所定時間に渡って再び不足状態に陥らないことを確認できた場合に前記返却制限を解除することを特徴とするパチンコ玉貯留量調整方法。
【請求項３】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と
を備える独立島方式の遊技場における各遊技島のパチンコ玉貯留量調整方法であって、
いずれかの遊技島においてパチンコ玉貯留量が所定の過剰状態になったら当該遊技島へのパチンコ玉の返却制限を開始し、該過剰状態になった遊技島が当該過剰前の状態に復帰してからさらに所定時間を経過した後に前記返却制限を解除することを特徴とするパチンコ玉貯留量調整方法。
【請求項４】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と
を備える独立島方式の遊技場における各遊技島のパチンコ玉貯留量調整方法であって、
いずれかの遊技島においてパチンコ玉貯留量が所定の過剰状態になったら当該遊技島へのパチンコ玉の返却制限を開始し、該過剰状態になった遊技島が当該過剰前の状態に復帰してから、さらに所定時間に渡って再び過剰状態に陥らないことを確認できた場合に前記返却制限を解除することを特徴とするパチンコ玉貯留量調整方法。
【請求項５】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と
を備える独立島方式の遊技場における各遊技島のパチンコ玉貯留量調整装置であって、
各パチンコ玉貯留手段のパチンコ玉貯留量が所定の不足状態になったか否かを検出する不足状態検出手段と、
該不足状態検出手段によってパチンコ玉の貯留量が所定の不足状態になったことが検出されたとき、当該状態が検出された遊技島以外の所定の遊技島のパチンコ玉返却手段によるパチンコ玉の返却を制限する他島返却制限手段と、
該他島返却制限手段によりパチンコ玉の返却が制限された後、前記不足状態の検出された遊技島のパチンコ玉貯留量が当該不足状態が検出される前の所定状態に復帰したか否かを検出する不足前状態復帰検出手段と、
該不足前状態復帰検出手段によって不足前の所定状態に復帰したことが検出されたら計時を開始する不足前状態復帰後計時手段と、
該不足前状態復帰後計時手段によって所定時間が計時されたら、前記他島返却制限手段による返却の制限を解除する他島制限解除手段と
を備えることを特徴とするパチンコ玉貯留量調整装置。
【請求項６】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整装置であって、
各パチンコ玉貯留手段のパチンコ玉貯留量が所定の不足状態になったか否かを検出する不足状態検出手段と、
該不足状態検出手段によってパチンコ玉の貯留量が所定の不足状態になったことが検出されたとき、当該状態が検出された遊技島以外の所定の遊技島のパチンコ玉返却手段によるパチンコ玉の返却を制限する他島返却制限手段と、
該他島返却制限手段によりパチンコ玉の返却が制限された後、前記不足状態の検出された遊技島のパチンコ玉貯留量が当該不足状態が検出される前の所定状態に復帰したか否かを検出する不足前状態復帰検出手段と、
該不足前状態復帰検出手段によって不足前の所定状態に復帰したことが検出されたら計時を開始する不足前状態復帰後計時手段と、
該不足前の所定状態に復帰した遊技島において、再び前記所定の不足状態が検出されることなく、前記不足前状態復帰後計時手段によって所定時間が計時されたら、前記他島返却制限手段による返却の制限を解除する他島制限解除手段と
を備えることを特徴とするパチンコ玉貯留量調整装置。
【請求項７】
請求項５又は請求項６記載のパチンコ玉貯留量調整装置において、
前記他島返却制限手段による返却の制限が開始されてからの経過時間を計測する他島制限後経過時間計測手段と、
該他島制限後経過時間計測手段が所定時間の経過を計測したら、前記不足前状態復帰検出手段による不足前の所定状態への復帰が検出されていなくても、一旦、前記他島返却制限手段による返却の制限を解除する他島制限一旦解除手段と
を備えることを特徴とするパチンコ玉貯留量調整装置。
【請求項８】
請求項５〜請求項７のいずれか記載のパチンコ玉貯留量調整装置において、前記他島返却制限手段による他の遊技島に対する返却の制限を行うことができないようにする他島返却制限禁止手段をも備えることを特徴とするパチンコ玉貯留量調整装置。
【請求項９】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と、
各パチンコ玉貯留手段のパチンコ玉貯留量が所定の不足状態になったか否かを検出する不足状態検出手段と、
該不足状態検出手段によってパチンコ玉の貯留量が所定の不足状態になったことが検出されたとき、当該状態が検出された遊技島以外の所定の遊技島のパチンコ玉返却手段によるパチンコ玉の返却を制限する他島返却制限手段と
を備える独立島方式の遊技場における各遊技島のパチンコ玉貯留量調整装置において、
前記他島返却制限手段による他の遊技島に対する返却の制限を行うことができないようにする他島返却制限禁止手段をも備えることを特徴とするパチンコ玉貯留量調整装置。
【請求項１０】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と
を備える独立島方式の遊技場における各遊技島のパチンコ玉貯留量調整装置であって、
各パチンコ玉貯留手段のパチンコ玉貯留量が所定の過剰状態になったか否かを検出する過剰状態検出手段と、
該過剰状態検出手段によってパチンコ玉の貯留量が所定の過剰状態になったことが検出されたとき、当該状態が検出された遊技島のパチンコ玉返却手段によるパチンコ玉の返却を制限する自島返却制限手段と、
該自島返却制限手段によりパチンコ玉の返却が制限された後、前記過剰状態の検出された遊技島のパチンコ玉貯留手段が当該過剰状態が検出される前の所定状態に復帰したか否かを検出する過剰前状態復帰検出手段と、
該過剰前状態復帰検出手段によって過剰前の所定状態に復帰したことが検出されたら計時を開始する過剰前状態復帰後計時手段と、
該過剰前状態復帰後計時手段によって所定時間が計時されたら、前記自島返却制限手段による返却の制限を解除する自島制限解除手段と
を備えることを特徴とするパチンコ玉貯留量調整装置。
【請求項１１】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と
を備える独立島方式の遊技場における各遊技島のパチンコ玉貯留量調整装置であって、
各パチンコ玉貯留手段のパチンコ玉貯留量が所定の過剰状態になったか否かを検出する過剰状態検出手段と、
該過剰状態検出手段によってパチンコ玉の貯留量が所定の過剰状態になったことが検出されたとき、当該状態が検出された遊技島のパチンコ玉返却手段によるパチンコ玉の返却を制限する自島返却制限手段と、
該自島返却制限手段によりパチンコ玉の返却が制限された後、前記過剰状態の検出された遊技島のパチンコ玉貯留手段が当該過剰状態が検出される前の所定状態に復帰したか否かを検出する過剰前状態復帰検出手段と、
該過剰前状態復帰検出手段によって過剰前の所定状態に復帰したことが検出されたら計時を開始する過剰前状態復帰後計時手段と、
該過剰前の所定状態に復帰した遊技島において、再び前記所定の過剰状態が検出されることなく、前記過剰前状態復帰後計時手段によって所定時間が計時されたら、前記自島返却制限手段による返却の制限を解除する自島制限解除手段と
を備えることを特徴とするパチンコ玉貯留量調整装置。
【請求項１２】
請求項１０又は請求項１１記載のパチンコ玉貯留量調整装置において、
前記自島返却制限手段による返却の制限が開始されてからの経過時間を計測する自島制限後経過時間計測手段と、
該自島制限後経過時間計測手段が所定時間の経過を計測したら、前記過剰前状態復帰検出手段による過剰前の所定状態への復帰が検出されていなくても、一旦、前記自島返却制限手段による返却の制限を解除する自島制限一旦解除手段と
を備えることを特徴とするパチンコ玉貯留量調整装置。
【発明の詳細な説明】
【技術分野】
【０００１】
本発明は、パチンコ機を複数台並べて構成したパチンコ遊技島や、パチンコ機とスロットマシンを併用設置して構成されたいわゆる併用島など、遊技機を複数台並べて構成された遊技島のパチンコ玉貯留量調整方法及び調整装置に係り、特に、いわゆる独立島方式の遊技場における各遊技島のパチンコ玉貯留量調整方法及び調整装置に関する。なお、請求範囲及び以下の実施例を含む詳細な説明において、景品玉，アウト玉，貸し玉といっているのは、いずれもパチンコ玉のことであり、それぞれを区別した方が分かりやすいときにこれらの呼び方をしているものである。
【背景技術】
【０００２】
従来、独立島方式の遊技場における各遊技島のパチンコ玉貯留量を調整するための技術として、特公平６−７７６２４号が知られている。この従来技術は、複数の遊技島がそれぞれ、パチンコ玉貯留タンクと、パチンコ玉計数器とを備え、各パチンコ玉貯留タンクに下限センサを設置し、下限センサがオンとなったとき、当該遊技島の隣の遊技島のパチンコ玉計数器を停止して不足状態にある遊技島へのパチンコ玉の返却を促進させるものであった。そして、下限センサがオフとなったら前記停止されていたパチンコ玉計数器を使用可能にしていた。また、この従来技術は、過剰状態の調整として、パチンコ玉貯留タンクに上限センサも設置しており、この上限センサがオンとなったら当該遊技島のパチンコ玉計数器を停止し、オフとなったら使用可能にすることも行っていた。
【特許文献１】特公平６−７７６２４号公報
【発明の開示】
【発明が解決しようとする課題】
【０００３】
このように、従来の技術では下限センサがオンとなったら隣の計数器を停止するもののオフとなったら直ちに隣の計数器も使用可能にする構成であるため、不足状態に陥った遊技島のパチンコ玉貯留量が下限付近からなかなか回復せず、頻繁に下限を切るような状態が発生することがある。そうなると、隣の遊技島の計数器が頻繁に停止されることとなる。例えば、停止が解除された計数器に遊技客が何人か並んでパチンコ玉の返却を待っているとき、すぐにこの計数器が停止されてしまうと列の後ろにいる遊技客は非常に迷惑する。
【０００４】
同様のことは、過剰状態になった遊技島での計数器の停止・解除の制御についてもいえる。そこで、本発明は、こうした問題を解決し、遊技島におけるパチンコ玉貯留量の過不足状態が確実に回復させることができ、頻繁に返却制限が生じないようなパチンコ玉貯留量調整方法及び調整装置を提供することを目的とする。
【課題を解決するための手段】
【０００５】
本発明のパチンコ玉貯留量調整方法は、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整方法であって、いずれかの遊技島においてパチンコ玉貯留量が所定の不足状態になったら当該遊技島以外の所定の遊技島へのパチンコ玉の返却制限を開始し、前記不足状態になった遊技島が当該不足前の状態に復帰してからさらに所定時間を経過した後に前記返却制限を解除することを特徴とする。
【０００６】
このパチンコ玉貯留量調整方法によれば、ある遊技島でパチンコ玉貯留量が不足したとき、当該遊技島以外の所定の遊技島（例えば、隣の遊技島）へのパチンコ玉の返却制限を開始して、不足状態の遊技島への返却が行われ易くする。そして、当該不足状態に陥った遊技島が不足状態に陥る前の所定の状態（例えば、下限を切った後に再び下限まで戻ったような状態）になってから、さらに所定時間の間上記の制限を継続する。これにより、不足状態に陥った遊技島への返却がさらに所定時間に渡って優先されるので、当該遊技島は不足状態を十分に回復し得る。こうして十分に不足状態が回復すれば、すぐに不足状態に陥ることはなく、他の遊技島に対する頻繁な制限が繰り返されることがなくなる。
【０００７】
より具体的な例で説明すると、例えば、大当りが一度に多数発生して貯留量不足が生じた遊技島があるとき、下限を切ってから再び下限に戻ったとしても、大当りが続いているならすぐに下限を切るおそれがある。しかし、本発明方法では、上記の様にさらに所定時間の経過を待つので、その間に下限よりも十分に上まで貯留量を回復することが可能であるし、また、大当りも終っている可能性があり、すぐに不足状態に陥るということがなくなるのである。
【０００８】
しかし、より確実を期するなら、次の様にするとよい。即ち、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整方法であって、いずれかの遊技島においてパチンコ玉貯留量が所定の不足状態になったら当該遊技島以外の所定の遊技島へのパチンコ玉の返却制限を開始し、前記不足状態になった遊技島が当該不足前の状態に復帰してから、さらに所定時間に渡って再び不足状態に陥らないことを確認できた場合に前記返却制限を解除することを特徴とするパチンコ玉貯留量調整方法がそれである。
【０００９】
この方法では、不足状態になった遊技島のパチンコ玉貯留量が所定時間に渡って不足前の状態以上になっていた場合に初めて他の遊技島に対して行った返却制限を解除する。この結果、本発明方法によれば、不足状態になった遊技島が不足前の状態に安定的に復帰した場合にのみ、他の遊技島に対して行った返却制限を解除することとなり、不足状態の解消がより確実となるのである。
【００１０】
また、本発明のもう一つのパチンコ玉貯留量調整方法は、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整方法であって、いずれかの遊技島においてパチンコ玉貯留量が所定の過剰状態になったら当該遊技島へのパチンコ玉の返却制限を開始し、該過剰状態になった遊技島が当該過剰前の状態に復帰してからさらに所定時間を経過した後に前記返却制限を解除することを特徴とする。
【００１１】
このパチンコ玉貯留量調整方法によれば、ある遊技島でパチンコ玉貯留量が過剰となったとき、当該遊技島へのパチンコ玉の返却制限を開始して、景品玉や貸し玉としてパチンコ玉が消費され、貯留量の自然に減少するのを促す。そして、当該過剰状態に陥る前の所定の状態（例えば、上限を上回った後に再び上限まで戻ったような状態）になってから、さらに所定時間の間上記の制限を継続する。これにより、過剰状態に陥った遊技島への返却がさらに所定時間に渡って制限されるので、さらに自然減少が促され、当該遊技島は過剰状態を十分に下回ることが可能になる。こうして過剰状態から十分に回復すれば、すぐに過剰状態に陥ることはなく、当該遊技島に対する頻繁な制限が繰り返されることがなくなる。
【００１２】
より具体的な例で説明すると、例えば、返却制限がなされている遊技島で上限を切ったとたんに返却を可能にすると、制限が解除されたのを見て直ちに景品玉を返却すると、たった一人ですぐに上限を越えてしまい、再び制限状態になることが考えられる。これに対し、本発明方法では、制限を継続している間にパチンコ玉貯留量が十分に減少することが見込まれるので、制限解除後直ちに景品玉が返却されたとしても再び過剰状態に陥る可能性が低くなる。
【００１３】
こちらの方法についても、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整方法であって、いずれかの遊技島においてパチンコ玉貯留量が所定の過剰状態になったら当該遊技島へのパチンコ玉の返却制限を開始し、該過剰状態になった遊技島が当該過剰前の状態に復帰してから、さらに所定時間に渡って再び過剰状態に陥らないことを確認できた場合に前記返却制限を解除することを特徴とするパチンコ玉貯留量調整方法としてやれば、不足状態の調整の場合と同様、より確実に過剰状態を調整することができ、一層優れたものとなる。
【００１４】
この様に、本発明として上述した各パチンコ玉調整方法によれば、パチンコ玉返却手段の制限が解除されたのを見て、直ちに何人かの遊技客が返却のために並んだとしても、列の後ろの遊技客に迷惑をかけ難くなり、遊技客に快適さを与えるという点で、顕著な効果がある。
【００１５】
また、上記の様な方法を実施するに適する本発明のパチンコ玉貯留量調整装置は、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整装置であって、各パチンコ玉貯留手段のパチンコ玉貯留量が所定の不足状態になったか否かを検出する不足状態検出手段と、該不足状態検出手段によってパチンコ玉の貯留量が所定の不足状態になったことが検出されたとき、当該状態が検出された遊技島以外の所定の遊技島のパチンコ玉返却手段によるパチンコ玉の返却を制限する他島返却制限手段と、該他島返却制限手段によりパチンコ玉の返却が制限された後、前記不足状態の検出された遊技島のパチンコ玉貯留量が当該不足状態が検出される前の所定状態に復帰したか否かを検出する不足前状態復帰検出手段と、該不足前状態復帰検出手段によって不足前の所定状態に復帰したことが検出されたら計時を開始する不足前状態復帰後計時手段と、該不足前状態復帰後計時手段によって所定時間が計時されたら、前記他島返却制限手段による返却の制限を解除する他島制限解除手段とを備えることを特徴とする。
【００１６】
この装置は、最初に説明した方の調整方法の実施に適するものであり、ある遊技島のパチンコ玉貯留量が所定の不足状態になると、他島返却制限手段が作動し、パチンコ玉貯留量が不足状態になった遊技島以外の所定の遊技島（例えば隣の遊技島）でのパチンコ玉返却手段によるパチンコ玉の返却を制限する。こうして他の遊技島のパチンコ玉の返却が制限されるので、遊技客は、こうした制限のない島へとパチンコ玉を返却するようになる。この結果、玉貯留量が不足状態となった遊技島へと遊技客が自然に誘導され、不足を解消し易くなり、やがて不足が解消して不足前の所定の状態に復帰する。従来技術では、この時点で制限を解除していたのであるが、本発明の装置では、不足前状態復帰後計時手段が、この時点から計時を開始し、さらに、所定時間の間、他島返却制限手段による制限が続行される。この結果、上記の様に遊技客が不足状態に陥った遊技島へと誘導される状態が継続し、当該遊技島の不足状態は十分に解消する。そして、他島制限解除手段が返却制限を解除することによって上記の様な誘導がなされなくなったとしても、再び直ちに不足状態に陥るということがなく、頻繁な制限の繰り返しを回避することができる。
【００１７】
また、２番目に説明した方法の実施には、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整装置であって、各パチンコ玉貯留手段のパチンコ玉貯留量が所定の不足状態になったか否かを検出する不足状態検出手段と、該不足状態検出手段によってパチンコ玉の貯留量が所定の不足状態になったことが検出されたとき、当該状態が検出された遊技島以外の所定の遊技島のパチンコ玉返却手段によるパチンコ玉の返却を制限する他島返却制限手段と、該他島返却制限手段によりパチンコ玉の返却が制限された後、前記不足状態の検出された遊技島のパチンコ玉貯留量が当該不足状態が検出される前の所定状態に復帰したか否かを検出する不足前状態復帰検出手段と、該不足前状態復帰検出手段によって不足前の所定状態に復帰したことが検出されたら計時を開始する不足前状態復帰後計時手段と、該不足前の所定状態に復帰した遊技島において、再び前記所定の不足状態が検出されることなく、前記不足前状態復帰後計時手段によって所定時間が計時されたら、前記他島返却制限手段による返却の制限を解除する他島制限解除手段とを備えることを特徴とするパチンコ玉貯留量調整装置を用いればよい。
【００１８】
他島制限解除手段は、所定時間に渡って再び不足状態に陥らない程度に、充分に貯留量が復帰した場合にのみ、他島への返却制限を解除するので、不足状態の解消がより確実となり、他島側から見たとき、すぐに返却制限状態になってしまうことがない。
【００１９】
ところで、上述の様に、他島制限解除手段は、不足状態に陥った遊技島が不足前の所定の状態に復帰してからさらに所定時間が経過するまでは制限を解除しない。このため、不足前の所定の状態になかなか復帰できない場合に、非常に長時間に渡って返却制限がなされることとなる。そうなると、そういった制限を受けている遊技島の客は、わざわざ別の遊技島まで出かけなければ返却ができないこととなり、こういった状態があまりに長く継続すると不便を強く感じさせるようになる。
【００２０】
この点を解消するものとして、上記のパチンコ玉貯留量調整装置において、さらに、前記他島返却制限手段による返却の制限が開始されてからの経過時間を計測する他島制限後経過時間計測手段と、該他島制限後経過時間計測手段が所定時間の経過を計測したら、前記不足前状態復帰検出手段による不足前の所定状態への復帰が検出されていなくても、一旦、前記他島返却制限手段による返却の制限を解除する他島制限一旦解除手段とを備えるようにするとよい。
【００２１】
この装置によれば、他島制限一旦解除手段により、他島返却制限手段による返却制限をある時間で一旦解除するので、自分の遊技している島に返却できない状態が所定時間後には一旦なくなるということを遊技客は認識することができ、機械が故障しているのではないかといったイライラを感じることをなくすことができる。
【００２２】
ここで、上記の他島制限後経過時間計測手段は、不足前状態復帰後計時手段が計時を開始する時点でリセットするようにしてもよいし、全くパラレルに時間計測をするようにしてもよい。全くパラレルに時間計測をするようにしておくと、常に他島に対する返却制限の一旦解除が実施されることとなる。よって、遊技客には、一旦にしろ、解除の時刻について目安を与え、機械故障ではないかとのイライラ解消に対する効果が高くなる。
【００２３】
一方、不足前状態復帰後計時手段の計時開始に合わせてリセットをする構成とすると、不足解消が比較的スムーズに進んでいない場合には、一旦解除が作動するけれども、比較的スムーズに進んでいる場合には、一旦解除が作動しない場合があり、むしろ最初の解除までの時間が長くなる。しかし、不足解消がスムーズに進行しているときに、これが途中で邪魔される可能性が減るので、最終的な解除までの時間を考えると短くなる。即ち、イライラ解消に寄与しつつも、本来の目的であるスムーズな貯留量回復に支障を来さないようにすることができる。
【００２４】
このように、不足前状態復帰後計時手段が計時を開始する時点で他島制限後経過時間計測手段をリセットするか否かにより、それぞれ相異なる効果が得られるので、この点は遊技場としての要望に応じて決定すればよい。また、一旦解除をどの程度の間に渡って行うのかは、この様に時間で決定してもよいが、ある個数のパチンコ玉が返却されるまでとしてもよいし、ある人数の遊技客による返却がなされるまでとしてもよい。より具体的には、一旦解除後の計数出力の回数で何人の遊技客が返却したのかを判断して一旦解除から抜けるように構成したり、一旦解除後に計数した玉数を累積してある値になったら一旦解除から抜ける様に構成するなどすればよい。
【００２５】
なお、閉店時間近くの様に、多数の遊技客が景品交換に殺到するようなとき、他島返却制限手段によって返却が制限されて使用可能な返却手段が少なくなると非常に混乱を生じる。そこで、これらのパチンコ玉貯留量調整装置において、前記他島返却制限手段による他の遊技島に対する返却の制限を行うことができないようにする他島返却制限禁止手段をも備えるようにするとよい。
【００２６】
また、この点にのみ着目し、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と、各パチンコ玉貯留手段のパチンコ玉貯留量が所定の不足状態になったか否かを検出する不足状態検出手段と、該不足状態検出手段によってパチンコ玉の貯留量が所定の不足状態になったことが検出されたとき、当該状態が検出された遊技島以外の所定の遊技島のパチンコ玉返却手段によるパチンコ玉の返却を制限する他島返却制限手段とを備える独立島方式の遊技場における各遊技島のパチンコ玉貯留量調整装置において、前記他島返却制限手段による他の遊技島に対する返却の制限を行うことができないようにする他島返却制限禁止手段をも備えることを特徴とするパチンコ玉貯留量調整装置として構成してもよい。
【００２７】
このように構成することで、上述の様な閉店時間近くなったときは、他島返却制限禁止手段を作動させ、ある遊技島の不足解消のために他の遊技島への返却を制限できないようにする。これにより、遊技客は多数の返却手段を同時に使用することができ、閉店時間近くの様に景品交換に殺到する客をスムーズにさばくことが可能になる。また、こうした景品交換に殺到する状況にあるのであるから、仮にどれかの遊技島で不足状態が生じていても、わざわざ誘導するまでもなく景品交換の客は集まってくる。従って、このような他島返却制限禁止手段を設けても何等問題を生じることはない。
【００２８】
なお、他島返却制限禁止手段としては、各遊技島のパチンコ玉返却手段にマニュアルスイッチを設けておいて、ホール係の店員がこれを操作することによって他島返却制限手段からの指令を無視する様に構成してもよいし、集中管理室から操作することによって同様の効果を達成するようにしてもよい。また、そもそも他島返却制限手段自体が作動しなくなるように制御してもよい。
【００２９】
一方、過剰状態の調整のための本発明方法を実施するに適するパチンコ玉貯留量調整装置は、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整装置であって、各パチンコ玉貯留手段のパチンコ玉貯留量が所定の過剰状態になったか否かを検出する過剰状態検出手段と、該過剰状態検出手段によってパチンコ玉の貯留量が所定の過剰状態になったことが検出されたとき、当該状態が検出された遊技島のパチンコ玉返却手段によるパチンコ玉の返却を制限する自島返却制限手段と、該自島返却制限手段によりパチンコ玉の返却が制限された後、前記過剰状態の検出された遊技島のパチンコ玉貯留手段が当該過剰状態が検出される前の所定状態に復帰したか否かを検出する過剰前状態復帰検出手段と、該過剰前状態復帰検出手段によって過剰前の所定状態に復帰したことが検出されたら計時を開始する過剰前状態復帰後計時手段と、該過剰前状態復帰後計時手段によって所定時間が計時されたら、前記自島返却制限手段による返却の制限を解除する自島制限解除手段とを備えることを特徴とする。
【００３０】
この装置によれば、ある遊技島のパチンコ玉貯留量が所定の過剰状態になると、自島返却制限手段が作動し、当該遊技島のパチンコ玉返却手段によるパチンコ玉の返却を制限する。こうしてパチンコ玉の返却が制限されるので、当該遊技島からは景品玉や貸し玉として排出しながら貯留量を自然に減少させ、やがて過剰前の所定の状態に復帰する。従来技術では、この時点で制限を解除していたのであるが、本発明の装置では、過剰前状態復帰後計時手段が、この時点から計時を開始し、さらに、所定時間の間、自島返却制限手段による制限が続行される。この結果、貯留量が自然に減少する状態が継続し、当該遊技島の過剰状態は十分に解消する。そして、自島制限解除手段が返却制限を解除することによって景品交換のための返却が可能になったとしても、再び直ちに過剰状態に陥るということがなく、頻繁な制限の繰り返しを回避することができる。
【００３１】
そして、このような頻繁な制限の繰り返しをより確実に回避するには、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整装置であって、各パチンコ玉貯留手段のパチンコ玉貯留量が所定の過剰状態になったか否かを検出する過剰状態検出手段と、該過剰状態検出手段によってパチンコ玉の貯留量が所定の過剰状態になったことが検出されたとき、当該状態が検出された遊技島のパチンコ玉返却手段によるパチンコ玉の返却を制限する自島返却制限手段と、該自島返却制限手段によりパチンコ玉の返却が制限された後、前記過剰状態の検出された遊技島のパチンコ玉貯留手段が当該過剰状態が検出される前の所定状態に復帰したか否かを検出する過剰前状態復帰検出手段と、該過剰前状態復帰検出手段によって過剰前の所定状態に復帰したことが検出されたら計時を開始する過剰前状態復帰後計時手段と、該過剰前の所定状態に復帰した遊技島において、再び前記所定の過剰状態が検出されることなく、前記過剰前状態復帰後計時手段によって所定時間が計時されたら、前記自島返却制限手段による返却の制限を解除する自島制限解除手段とを備えることを特徴とするパチンコ玉貯留量調整装置を用いるとよい。
【００３２】
この装置によれば、自島制限解除手段は、自島が確実に過剰状態を解消し、それが安定的となったときにのみ返却制限を解除するので、当該遊技島がすぐに再び過剰状態となることがなく、上述した様な自島の頻繁な返却制限を回避する効果がより確実になる。
【００３３】
これら過剰状態の調整のためのパチンコ玉貯留量調整装置においても、前記自島返却制限手段による返却の制限が開始されてからの経過時間を計測する自島制限後経過時間計測手段と、該自島制限後経過時間計測手段が所定時間の経過を計測したら、前記過剰前状態復帰検出手段による過剰前の所定状態への復帰が検出されていなくても、一旦、前記自島返却制限手段による返却の制限を解除する自島制限一旦解除手段とを備えることとしてもよい。この場合、自島に対する返却制限がある時間で一旦解除されるので、なかなか過剰状態から復帰しない場合にも、装置が正常に作動していることを外部から目で確認することができ、安心できるという効果がある。
【００３４】
なお、上述の説明において、「返却の制限」とは、「（１） 完全に返却ができないようにするもの」はもちろん、「（２） 遊技客に対して玉を返却しないように示唆するメッセージを表示」したり「（３） 玉の返却速度を遅くする」など各種の手法により、当該制限を受けている島から他の島へと自然に遊技客が流れる様にする手法ならどのようなものでも構わない。この場合、（１）を採用するのが最も確実であるが、（２），（３）の様に構成する場合には、遊技客が誤ってパチンコ玉を投入してしまっても計数可能という点では優れた面もある。
【発明を実施するための最良の形態】
【００３５】
以下、本発明を適用したパチンコホールについて説明する。この実施例のパチンコホールには、図１に示すように、多数のパチンコ機１，１，…及び玉貸し機３，３，…を並べて配設した遊技島５，５，…がそれぞれ独立して複数設置されている。各遊技島５，５，…の一方の端には景品玉計数器１０が配置されている。この結果、遊技者は、どの遊技島５，５，…においても一方の端へ出て来ればパチンコ玉の計数をすることができる。景品玉計数器１０は、公知の様に、玉投入口１１と、計数値表示窓１３と、計数結果印字器１５と、端数の余り玉を返却する返却口１７とを備えたものである。そして、本実施例に特有の構成として、必要に応じて突出する返却中止アーム１９も備えている（図はすべての計数器において突出していない状態を示す。突出した状態においては、図示の返却中止アーム１９が、前方に伸び出てきて、玉投入口１１を覆う状態となる。）。返却中止アーム１９のプレート面には、「返却中止です。他の遊技島で計数して下さい。」といった様な文章を表示してある。これによって、遊技客が他の遊技島へと返却するのを促す役目を果たしている。
【００３６】
各遊技島５には、図２に示すように、入賞時に各パチンコ機１，１，…から景品玉として払い出したり、各玉貸し機３，３，…から貸し玉として払い出すためのパチンコ玉を貯留する大きなメインタンク２１と、少し容量の小さいサブタンク２３とを備え、両タンク２１，２３の間に設置した還元機２５で島上部の配給樋２７へとパチンコ玉を揚送して循環させるように構成されている。また、還元機２５の揚送経路に沿って、各タンク２１，２３のオーバーフロー樋２８，２９も設置されている。
【００３７】
また、メインタンク２１の中に３個の玉量センサ３１〜３３が、また、メインタンク側のオーバーフロー樋２８の中に１個の玉量センサ３４が、サブタンク２３の中に１個の玉量センサ３５が、そしてサブタンク側オーバーフロー樋２９の中に１個の玉量センサ３６が、それぞれ設けられている。実施例では、各遊技島５，５，…がそれぞれ合計２０万個のパチンコ玉を貯留可能に構成されており、３１〜３５の５個のセンサは、（１）センサ３１＝４万個レベル、（２）センサ３２＝６万個レベル、（３）センサ３３＝１２万個レベル、（４）センサ３４＝１６万個レベル、（５）センサ３５＝１８万個レベルを、それぞれ検出する役割を果たしている。また、符合３６の付されたセンサは、危険センサと呼ばれ、パチンコ玉がこのレベルまで増加したら還元機２５を強制的に停止するために設けられている。
【００３８】
また、（１）〜（５）の各玉量センサ３１〜３５は、各遊技島５，５，…の島端に設けられた表示ランプ４０と連動しており、図３に示す様な関係で表示ランプ４０内の（１）〜（５）電球４１〜４５を点灯するように構成されている。なお、表示ランプ４０内のＳ電球４６は、後述の制御により、当該遊技島の景品玉計数器１０が返却制限状態になったときに点灯するように構成されている。
【００３９】
実施例のシステムは、図４に示すように、各遊技島毎に設けられた制御回路５０，５０，…がそれぞれの遊技島の玉量センサ３１〜３６からの検出信号を入力し、それぞれの遊技島の景品玉計数器１０の返却中止アーム１９を出没させるアーム駆動回路５５へと制御信号を出力するようになっている。また、制御回路５０同士の間も、隣接する制御回路５０との間で信号授受が可能な様に接続されている。なお、各制御回路５０には、それぞれＮｏ．１，Ｎｏ．２の２個ずつのタイマー５６，５７も接続されている。Ｎｏ．１タイマー５６は７分計時用のタイマーであり、Ｎｏ．２タイマー５７は２０分計時用のタイマーである。また、各制御回路５０同士の間には、遮断スイッチ６０が設置されている。この遮断スイッチ６０は、閉店時近くなったような時にオフに操作することで、隣の遊技島の制御回路からの制御信号を受け入れなくするために設けられている。
【００４０】
以上の様なハード的構成に加えて、本発明では、各制御回路５０が次の様な制御処理を実行している。各制御回路５０は、図５に示すように、まず、当該遊技島のパチンコ玉貯留量が４万個未満になったか否かを判断する（Ｓ１０）。そして、４万個未満になったと判断された場合には、当該遊技島に隣接する遊技島（隣島）の制御回路に対して景品玉計数器への返却中止を実行させるための信号を出力する（Ｓ２０）。これにより、隣島では返却中止アーム１９が駆動され、景品玉計数器１０への返却が制限された状態になる。
【００４１】
こうして隣島に返却制限を実行させたら、パチンコ玉貯留量が４万個以上に回復するのを待ち（Ｓ３０）、パチンコ玉貯留量が４万個以上に回復したら、Ｎｏ．１タイマー５６をリセットスタートさせ（Ｓ４０）、Ｎｏ．１タイマー５６がタイムアップして初めて隣島に対する返却制限を解除する（Ｓ５０，Ｓ６０）。これにより、４万個未満となった遊技島の隣の遊技島は、４万個未満が解消した後さらに７分間は返却を制限されることになる。従って、４万個未満の玉量不足状態に陥った遊技島は、この７分間で４万個から相当量上回ったところまでパチンコ玉貯留量を確実に回復させることができる。この結果、再びＳ１０が実施されても直ちに隣島の返却制限が開始されてしまうことはなく、隣島への返却制限が繰り返されることはない。
【００４２】
以上は、パチンコ玉貯留量不足の状態に対する貯留量回復を促すための処理であるが、Ｓ１０にて「ＮＯ」と判断されると、処理はＳ１１０へと移行し、パチンコ玉貯留量が１８万個以上になったか否かを判断する。そして、１８万個以上になったと判断された場合には、当該遊技島自身（自島）の景品玉計数器への返却中止を実行させるため、自島のアーム駆動回路に対して返却中止実行のための信号を出力する（Ｓ１２０）。これにより、パチンコ玉貯留量が過剰状態となった遊技島では返却中止アーム１９が駆動され、景品玉計数器１０への返却が制限された状態になる。
【００４３】
こうして自島の返却制限を実行させたら、パチンコ玉貯留量が１８万個以上のままか否かを再度判断する（Ｓ１３０）。そして、１８万個未満になるまで待機し続け、１８万個未満になって初めてＮｏ．２タイマー５７をリセットスタートする（Ｓ１４０）。そして、Ｎｏ．２タイマー５７がタイムアップするのを待って、自島に対する返却制限を解除する（Ｓ１５０，Ｓ１６０）。これにより、１８万個以上となった遊技島は、１８万個以上の状態が解消した後さらに２０分間は返却を制限されることになる。従って、この２０分間で１８万個から相当量下回ったところまでパチンコ玉貯留量を確実に戻すことができる。この結果、再度Ｓ１１０の判断が実施されても直ちに自島の返却制限が開始されてしまうことはなく、自島への返却制限が繰り返されることはない。
【００４４】
以上説明した様に、本実施例によれば、各遊技島のいずれかが貯留量４万個未満の不足状態になったら隣島への返却制限を行って景品玉を返却しようとうする遊技客を当該不足状態の遊技島の景品玉計数器へと自然に誘導し、不足を解消し易くする。そして、不足状態に陥った遊技島の貯留量が４万個以上になっても直ちに隣島への返却制限を解除するのではなく、そこから７分間制限を継続することで、４万個から相当量上回った状態まで回復させる。よって、隣島が再び返却制限に陥ることがない。
【００４５】
これと同様に、本実施例によれば、各遊技島のいずれかが貯留量１８万個以上の過剰状態になったら自島への返却制限を行って、景品玉や貸し玉として払い出されて自然に貯留量が減少するのを待つ。そして、自然に貯留量が減少してきて過剰状態に陥った遊技島の貯留量が１８万個未満になっても直ちに自島への返却制限を解除するのではなく、そこから２０分間制限を継続することで、１８万個から相当量下回った状態まで戻させる。よって、自島が再び返却制限に陥ることがない。
【００４６】
なお、閉店近くになったときに遮断スイッチ６０を操作して制御回路５０同士の間をオフにしてやれば、各遊技島の制御回路間の信号授受をできなくすることができ、上述した隣島からの返却制限が実施されないようにすることができる。この構成により、閉店間際で景品交換に多数の客が殺到するときに、計数器が使えないで困るといった状況をなくすことができる。しかし、自島に対する返却制限は可能なので、過剰状態に陥った遊技島については返却を制限し、翌日の開店に支障を来さないようにすることはできている。遮断スイッチ６０は、各遊技島５，５，…の近傍に設置しておいてホール係の店員が鍵等を利用して操作するように構成してもよいし、集中管理室から遠隔操作で操作できるようにしてもよい。
【００４７】
加えて、このシステムでは、島端に玉貯留量を表示するランプ４０を設けたので、パチンコ店のホール係の店員は、各遊技島がどのような玉貯留状態にあるのかを一目で確認できるようになっている。また、遊技客にとっても、どの遊技島において返却制限がなされているのかが一目で分かるという利点もある。
【００４８】
次に、第２実施例を説明する。第２実施例は、ハード的構成を第１実施例と同一にし、制御処理の内容を若干変えたものである。各制御回路５０は、図６に示すように、第１実施例と同様に、遊技島のパチンコ玉貯留量が４万個未満になったら隣島の制御回路に対して景品玉計数器への返却中止を実行させるための信号を出力する（Ｓ１０，Ｓ２０）。こうして隣島に返却制限を実行させたら、直ちに、Ｎｏ．１タイマー５６をリセットスタートさせる（Ｓ２５）。そして、パチンコ玉貯留量が４万個以上に回復したか否かを判断し（Ｓ３０）、回復していない場合であっても、最初の７分が経過したら（Ｓ３５＝ＹＥＳ）、一旦、隣島に対して、返却中止の解除を指示する（Ｓ６５）。これにより、隣島の返却中止が一旦解除され、景品玉計数器１０が使用可能な状態になる。この一旦解除処理では、数分間だけ返却中止の解除を行ったら隣島の制限を再開し、Ｓ２５へ戻るようにしておく。
【００４９】
なお、パチンコ玉貯留量が４万個未満でなくなった後の処理は第１実施例と同様である。また、過剰状態に対する制御処理も第１実施例と同様である。以上説明した第２実施例によれば、隣島の返却制限は、不足状態の遊技島の回復状態が遅い場合には最初の７分で一旦解除される。これにより、不足状態がなかなか解消しない場合に、遊技客や店員に対して、景品玉計数器１０や制御回路５０の故障ではないということを知らしめることとなり、安心感を与える。また、一旦、数分間程度返却可能にすることで、計数器が混み合っているようなときにサービスを向上させることができる。
【００５０】
次に、第３実施例を説明する。この第３実施例は、図７に示すように、各制御回路５０に、７分計時用のＮｏ．３タイマー５８をも設置した点でシステムのハード構成が第１，第２実施例と若干相違する。制御処理は概ね第２実施例と同様であるが、図８に示すように、Ｓ３０で４万個以上に回復したと判断された後の処理で、Ｎｏ．１タイマー５６ではなくＮｏ．３タイマー５８をリセットスタートさせるようにしている（Ｓ７０）。これにより、４万個以上に回復した後は、先に７分の計時を開始したＮｏ．１タイマー５６と、後から７分の計時を開始したＮｏ．３タイマー５８とが平行して計時を行っている状態となる。このため、第３実施例では、Ｎｏ．３タイマー５８がタイムアップするか、あるいはＮｏ．１タイマー５６がタイムアップするのを待つ（Ｓ７５，Ｓ８０）。通常は、先に計時の始まっているＮｏ．１タイマー５６の方が先にタイムアップするので、まずＳ８０がＹＥＳとなり、隣島への返却制限を一定時間だけ解除する（Ｓ８５）。この一旦解除処理の内容は、Ｓ６５と同様に、数分間の間だけ隣島に対して返却中止指令を停止する形式とする。その後は、再びＮｏ．１タイマー５６をリセットスタート（Ｓ８７）してからＳ７５へ戻り、Ｎｏ．３タイマー５８がタイムアップするまで再び隣島の返却制限が続行され、最終的には、４万個以上に達した後７分経過の時点で隣島への返却制限が完全に解除されることとなる（Ｓ７５→Ｓ６０）。Ｓ１１０以下の制御は第１，第２実施例と全く同様である。
【００５１】
この実施例によれば、隣島は、返却制限が開始されてから７分経過後には、常に一旦返却可能な状態に復帰する。従って、第２実施例では、最長１４分弱に渡って隣島の返却制限が続行する場合があり得たが、この第２実施例では少なくとも７分後には一旦解除されるので、あまりにも長時間に渡って隣島の返却が制限され続けることがなくなる。
【００５２】
次に、第４実施例を説明する。この第４実施例は、第１実施例とほぼ同様であるが、図９に示すように、制御処理の内容が若干相違している。この第４実施例では、Ｓ３０でＹＥＳとなった後にＮｏ．１タイマー５６をリセットスタートするところまでは第１実施例と同じであるが、この後で、まず、もう一度、パチンコ玉貯留量が４万個以上であるか否かを判断し（Ｓ４５）、パチンコ玉貯留量が４万個以上であり続ける場合にだけＮｏ．１タイマー５６のタイムアップが検出されたか否かの判断に進む。そして、Ｎｏ．１タイマー５６がタイムアップする前に、再び４万個未満となってしまった場合には、Ｓ３０へ戻り、隣島への返却中止解除をおあずけの状態にする。
【００５３】
過剰側の制御についても、この不足側の制御とどうように、Ｓ１４０とＳ１５０の間に、もう一度、パチンコ玉貯留量が１８万個未満であるか否かを判断し（Ｓ１４５）、パチンコ玉貯留量が１８万個未満であり続け、かつ、Ｎｏ．２タイマー５７がタイムアップした場合にだけＳ１６０を実行するように構成してある。
【００５４】
この様に構成することで、不足状態の解消及び過剰状態の解消がより確実かつ安定的に行われる点で、第１実施例よりも一層の確実性・安定性を有することとなる。次に、第５実施例を説明する。この第５実施例は、第３実施例とほぼ同様であるが、図１０，図１１に示すように、制御処理の内容が若干相違している。
【００５５】
この第５実施例では、Ｓ３０でＹＥＳとなった後にＮｏ．３タイマー５８をリセットスタートするところまでは第１実施例と同じであるが、この後で、まず、もう一度、パチンコ玉貯留量が４万個以上であるか否かを判断し（Ｓ７３）、パチンコ玉貯留量が４万個以上であり続ける場合にだけ、Ｓ７５以下の処理へ進む。なお、Ｓ７５，Ｓ８０共に「ＮＯ」の場合は、再びＳ７３へ戻る。また、Ｓ８５へ進んで一旦解除処理が実施された場合も、Ｓ８７でＮｏ．１タイマー５６をリセットスタートしたらＳ７３へ戻る。
【００５６】
過剰側の制御についても、この不足側の制御とどうように、Ｓ１４０とＳ１５０の間に、もう一度、パチンコ玉貯留量が１８万個未満であるか否かを判断し（Ｓ１４５）、パチンコ玉貯留量が１８万個未満であり続け、かつ、Ｎｏ．２タイマー５７がタイムアップした場合にだけＳ１６０を実行するように構成してある。
【００５７】
この様に構成することで、不足状態の解消及び過剰状態の解消がより確実かつ安定的に行われる点で、第３実施例よりも一層の確実性・安定性を有することとなる。次に、第６実施例を説明する。この第６実施例は、第２実施例とほぼ同様であるが、図１２，図１３に示すように、制御処理の内容が若干相違している。
【００５８】
この第６実施例では、図１２に示すように、不足状態の調整は第２実施例と全く同じであるが、図１３に示すように、過剰状態の調整に相違があり、過剰状態に対する自島の制限が開始されたら、直ちにＮｏ．２タイマー５７をリセットスタートする（Ｓ１７０）。そして、その上で、パチンコ玉貯留量が１８万個未満まで減少したか否かを判断する（Ｓ１３０）。１８万個未満に減少している場合には、第２実施例と同様に処理するが、１８万個未満になっていない場合には、Ｎｏ．２タイマー５７がタイムアップしたか否かを判断する（Ｓ１７５）。そして、自島の制限開始後、１８万個未満に減少していなくても、２０分が経過してしまった場合には、不足状態の解消が遅い場合と同様の一旦解除処理（Ｓ１８０）を実行する。これにより、自島の制限が一旦解除され、数分間は返却可能な状態となる。これにより、遊技客やホール係は、当該遊技島の計数器が故障しているわけではないことを知ることができ、安心できる。
【００５９】
以上、本発明の実施例を説明したが、本発明は、上記実施例に限定されるものではなく、本発明の要旨を逸脱しない限り種々なる態様に変形することが可能である。
【図面の簡単な説明】
【００６０】
【図１】実施例としてのパチンコホールの全体の斜視図である。
【図２】実施例における遊技島の内部構造を示す断面図である。
【図３】実施例における表示ランプと玉量センサとの関係を示すブロック図である。
【図４】第１実施例における制御系統のブロック図である。
【図５】第１実施例における玉貯留量調整処理のフローチャートである。
【図６】第２実施例における玉貯留量調整処理のフローチャートである。
【図７】第３実施例における制御系統のブロック図である。
【図８】第３実施例における玉貯留量調整処理のフローチャートである。
【図９】第４実施例における玉貯留量調整処理のフローチャートである。
【図１０】第５実施例における玉貯留量調整処理のフローチャートである。
【図１１】第５実施例における玉貯留量調整処理のフローチャートである。
【図１２】第６実施例における玉貯留量調整処理のフローチャートである。
【図１３】第６実施例における玉貯留量調整処理のフローチャートである。
【符号の説明】
【００６１】
１・・・パチンコ機、３・・・玉貸し機、５・・・遊技島、１０・・・景品玉計数器、１９・・・返却中止アーム、２１・・・メインタンク、２３・・・サブタンク、２５・・・還元機、２７・・・配給樋、２８，２９・・・オーバーフロー樋、３１〜３６・・・玉量センサ、４０・・・表示ランプ、４１〜４６・・・電球、５０・・・制御回路、５５・・・アーム駆動回路、５６〜５８・・・タイマー、６０・・・遮断スイッチ。
【図１】
2006122725.tif 000003
【図２】
2006122725.tif 000004
【図３】
2006122725.tif 000005
【図４】
2006122725.tif 000006
【図５】
2006122725.tif 000007
【図６】
2006122725.tif 000008
【図７】
2006122725.tif 000009
【図８】
2006122725.tif 000010
【図９】
2006122725.tif 000011
【図１０】
2006122725.tif 000012
【図１１】
2006122725.tif 000013
【図１２】
2006122725.tif 000014
【図１３】
2006122725.tif 000015
【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と
を備える独立島方式の遊技場における各遊技島のパチンコ玉貯留量調整方法であって、
いずれかの遊技島においてパチンコ玉貯留量が所定の不足状態になったら当該遊技島以外の所定の遊技島へのパチンコ玉の返却制限を開始する第１のステップと、
該第１のステップによって前記返却制限が開始された後に、該返却制限された遊技島が前記所定の不足状態になる前の状態に復帰したことを検出する第２のステップと、
該第２のステップによって前記所定の不足状態になる前の状態への復帰が検出されてから、経過する時間を計時する第３のステップと、
該第３のステップによって所定時間の経過が計時された場合に、前記返却制限を解除する第４のステップと、
いずれかの遊技島においてパチンコ玉貯留量が所定の過剰状態になったら当該遊技島へのパチンコ玉の返却制限を開始する第５のステップと、
該第５のステップによって前記返却制限が開始された後に、該返却制限された遊技島が前記所定の過剰状態になる前の状態に復帰したことを検出する第６のステップと、
該第６のステップによって前記所定の過剰状態になる前の状態への復帰が検出されてから、経過する時間を計時する第７のステップと、
該第７のステップによって所定時間の経過が計時された場合に、前記第５のステップによる前記返却制限を解除する第８のステップと
を備えることを特徴とするパチンコ玉貯留量調整方法。
【請求項２】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と
を備える独立島方式の遊技場における各遊技島のパチンコ玉貯留量調整方法であって、
いずれかの遊技島においてパチンコ玉貯留量が所定の不足状態になったら当該遊技島以外の所定の遊技島へのパチンコ玉の返却制限を開始する第１のステップと、
該第１のステップによって前記返却制限が開始された後に、該返却制限された遊技島が前記所定の不足状態になる前の状態に復帰したことを検出する第２のステップと、
該第２のステップによって前記所定の不足状態になる前の状態への復帰が検出されてから、経過する時間を計時する第３のステップと、
前記返却制限された遊技島が前記所定の不足状態になる前の状態であり続け、かつ、前記第３のステップによって所定時間の経過が計時された場合に、前記返却制限を解除する第９のステップと、
いずれかの遊技島においてパチンコ玉貯留量が所定の過剰状態になったら当該遊技島へのパチンコ玉の返却制限を開始する第５のステップと、
該第５のステップによって前記返却制限が開始された後に、該返却制限された遊技島が前記所定の過剰状態になる前の状態に復帰したことを検出する第６のステップと、
該第６のステップによって前記所定の過剰状態になる前の状態への復帰が検出されてから、経過する時間を計時する第７のステップと、
前記返却制限された遊技島が前記所定の過剰状態になる前の状態であり続け、かつ、前記第７のステップによって所定時間の経過が計時された場合に、前記第５のステップによる前記返却制限を解除する第１０のステップと
を備えることを特徴とするパチンコ玉貯留量調整方法。
【請求項３】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段と
を備える独立島方式の遊技場における各遊技島のパチンコ玉貯留量調整装置であって、
各パチンコ玉貯留手段のパチンコ玉貯留量が所定の不足状態になったか否かを検出する不足状態検出手段と、
該不足状態検出手段によってパチンコ玉の貯留量が所定の不足状態になったことが検出されたとき、当該状態が検出された遊技島以外の所定の遊技島のパチンコ玉返却手段によるパチンコ玉の返却を制限する他島返却制限手段と、
該他島返却制限手段によりパチンコ玉の返却が制限された後、前記不足状態の検出された遊技島のパチンコ玉貯留量が当該不足状態が検出される前の所定状態に復帰したか否かを検出する不足前状態復帰検出手段と、
該不足前状態復帰検出手段によって不足前の所定状態に復帰したことが検出されたら計時を開始する不足前状態復帰後計時手段と、
該不足前状態復帰後計時手段によって所定時間が計時されたら、前記他島返却制限手段による返却の制限を解除する他島制限解除手段と、
各パチンコ玉貯留手段のパチンコ玉貯留量が所定の過剰状態になったか否かを検出する過剰状態検出手段と、
該過剰状態検出手段によってパチンコ玉の貯留量が所定の過剰状態になったことが検出されたとき、当該状態が検出された遊技島のパチンコ玉返却手段によるパチンコ玉の返却を制限する自島返却制限手段と、
該自島返却制限手段によりパチンコ玉の返却が制限された後、前記過剰状態の検出された遊技島のパチンコ玉貯留手段が当該過剰状態が検出される前の所定状態に復帰したか否かを検出する過剰前状態復帰検出手段と、
該過剰前状態復帰検出手段によって過剰前の所定状態に復帰したことが検出されたら計時を開始する過剰前状態復帰後計時手段と、
該過剰前状態復帰後計時手段によって所定時間が計時されたら、前記自島返却制限手段による返却の制限を解除する自島制限解除手段と
を備えることを特徴とするパチンコ玉貯留量調整装置。
【請求項４】
複数の遊技島がそれぞれ、
入賞時の景品玉等として払い出すパチンコ玉を貯留するパチンコ玉貯留手段と、
遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整装置であって、
各パチンコ玉貯留手段のパチンコ玉貯留量が所定の不足状態になったか否かを検出する不足状態検出手段と、
該不足状態検出手段によってパチンコ玉の貯留量が所定の不足状態になったことが検出されたとき、当該状態が検出された遊技島以外の所定の遊技島のパチンコ玉返却手段によるパチンコ玉の返却を制限する他島返却制限手段と、
該他島返却制限手段によりパチンコ玉の返却が制限された後、前記不足状態の検出された遊技島のパチンコ玉貯留量が当該不足状態が検出される前の所定状態に復帰したか否かを検出する不足前状態復帰検出手段と、
該不足前状態復帰検出手段によって不足前の所定状態に復帰したことが検出されたら計時を開始する不足前状態復帰後計時手段と、
該不足前の所定状態に復帰した遊技島において、再び前記所定の不足状態が検出されることなく、前記不足前状態復帰後計時手段によって所定時間が計時されたら、前記他島返却制限手段による返却の制限を解除する他島制限解除手段と、
各パチンコ玉貯留手段のパチンコ玉貯留量が所定の過剰状態になったか否かを検出する過剰状態検出手段と、
該過剰状態検出手段によってパチンコ玉の貯留量が所定の過剰状態になったことが検出されたとき、当該状態が検出された遊技島のパチンコ玉返却手段によるパチンコ玉の返却を制限する自島返却制限手段と、
該自島返却制限手段によりパチンコ玉の返却が制限された後、前記過剰状態の検出された遊技島のパチンコ玉貯留手段が当該過剰状態が検出される前の所定状態に復帰したか否かを検出する過剰前状態復帰検出手段と、
該過剰前状態復帰検出手段によって過剰前の所定状態に復帰したことが検出されたら計時を開始する過剰前状態復帰後計時手段と、
該過剰前の所定状態に復帰した遊技島において、再び前記所定の過剰状態が検出されることなく、前記過剰前状態復帰後計時手段によって所定時間が計時されたら、前記自島返却制限手段による返却の制限を解除する自島制限解除手段と
を備えることを特徴とするパチンコ玉貯留量調整装置。
【手続補正２】
【補正対象書類名】明細書
【補正対象項目名】０００５
【補正方法】変更
【補正の内容】
【０００５】
本発明のパチンコ玉貯留量調整方法は、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整方法であって、いずれかの遊技島においてパチンコ玉貯留量が所定の不足状態になったら当該遊技島以外の所定の遊技島へのパチンコ玉の返却制限を開始する第１のステップと、該第１のステップによって前記返却制限が開始された後に、該返却制限された遊技島が前記所定の不足状態になる前の状態に復帰したことを検出する第２のステップと、該第２のステップによって前記所定の不足状態になる前の状態への復帰が検出されてから、経過する時間を計時する第３のステップと、該第３のステップによって所定時間の経過が計時された場合に、前記返却制限を解除する第４のステップと、いずれかの遊技島においてパチンコ玉貯留量が所定の過剰状態になったら当該遊技島へのパチンコ玉の返却制限を開始する第５のステップと、該第５のステップによって前記返却制限が開始された後に、該返却制限された遊技島が前記所定の過剰状態になる前の状態に復帰したことを検出する第６のステップと、該第６のステップによって前記所定の過剰状態になる前の状態への復帰が検出されてから、経過する時間を計時する第７のステップと、該第７のステップによって所定時間の経過が計時された場合に、前記第５のステップによる前記返却制限を解除する第８のステップとを備えることを特徴とする。
【手続補正３】
【補正対象書類名】明細書
【補正対象項目名】０００６
【補正方法】変更
【補正の内容】
【０００６】
このパチンコ玉貯留量調整方法によれば、ある遊技島でパチンコ玉貯留量が不足したとき、当該遊技島以外の所定の遊技島（例えば、隣の遊技島）へのパチンコ玉の返却制限を開始して、不足状態の遊技島への返却が行われ易くする。そして、当該不足状態に陥った遊技島が不足状態に陥る前の所定の状態（例えば、下限を切った後に再び下限まで戻ったような状態）になってから、さらに所定時間の間上記の制限を継続する。これにより、不足状態に陥った遊技島への返却がさらに所定時間に渡って優先されるので、当該遊技島は不足状態を十分に回復し得る。こうして十分に不足状態が回復すれば、すぐに不足状態に陥ることはなく、他の遊技島に対する頻繁な制限が繰り返されることがなくなる。また、ある遊技島でパチンコ玉貯留量が過剰となったとき、当該遊技島へのパチンコ玉の返却制限を開始して、景品玉や貸し玉としてパチンコ玉が消費され、貯留量の自然に減少するのを促す。そして、当該過剰状態に陥る前の所定の状態（例えば、上限を上回った後に再び上限まで戻ったような状態）になってから、さらに所定時間の間上記の制限を継続する。これにより、過剰状態に陥った遊技島への返却がさらに所定時間に渡って制限されるので、さらに自然減少が促され、当該遊技島は過剰状態を十分に下回ることが可能になる。こうして過剰状態から十分に回復すれば、すぐに過剰状態に陥ることはなく、当該遊技島に対する頻繁な制限が繰り返されることがなくなる。
【手続補正４】
【補正対象書類名】明細書
【補正対象項目名】０００７
【補正方法】変更
【補正の内容】
【０００７】
より具体的な例で説明すると、例えば、大当りが一度に多数発生して貯留量不足が生じた遊技島があるとき、下限を切ってから再び下限に戻ったとしても、大当りが続いているならすぐに下限を切るおそれがある。しかし、本発明方法では、上記の様にさらに所定時間の経過を待つので、その間に下限よりも十分に上まで貯留量を回復することが可能であるし、また、大当りも終っている可能性があり、すぐに不足状態に陥るということがなくなるのである。また、例えば、返却制限がなされている遊技島で上限を切ったとたんに返却を可能にすると、制限が解除されたのを見て直ちに景品玉を返却すると、たった一人ですぐに上限を越えてしまい、再び制限状態になることが考えられる。これに対し、本発明方法では、制限を継続している間にパチンコ玉貯留量が十分に減少することが見込まれるので、制限解除後直ちに景品玉が返却されたとしても再び過剰状態に陥る可能性が低くなる。
【手続補正５】
【補正対象書類名】明細書
【補正対象項目名】０００８
【補正方法】変更
【補正の内容】
【０００８】
しかし、より確実を期するなら、次の様にするとよい。即ち、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整方法であって、いずれかの遊技島においてパチンコ玉貯留量が所定の不足状態になったら当該遊技島以外の所定の遊技島へのパチンコ玉の返却制限を開始する第１のステップと、該第１のステップによって前記返却制限が開始された後に、該返却制限された遊技島が前記所定の不足状態になる前の状態に復帰したことを検出する第２のステップと、該第２のステップによって前記所定の不足状態になる前の状態への復帰が検出されてから、経過する時間を計時する第３のステップと、前記返却制限された遊技島が前記所定の不足状態になる前の状態であり続け、かつ、前記第３のステップによって所定時間の経過が計時された場合に、前記返却制限を解除する第９のステップと、いずれかの遊技島においてパチンコ玉貯留量が所定の過剰状態になったら当該遊技島へのパチンコ玉の返却制限を開始する第５のステップと、該第５のステップによって前記返却制限が開始された後に、該返却制限された遊技島が前記所定の過剰状態になる前の状態に復帰したことを検出する第６のステップと、該第６のステップによって前記所定の過剰状態になる前の状態への復帰が検出されてから、経過する時間を計時する第７のステップと、前記返却制限された遊技島が前記所定の過剰状態になる前の状態であり続け、かつ、前記第７のステップによって所定時間の経過が計時された場合に、前記第５のステップによる前記返却制限を解除する第１０のステップとを備えることを特徴とするパチンコ玉貯留量調整方法がそれである。
【手続補正６】
【補正対象書類名】明細書
【補正対象項目名】０００９
【補正方法】変更
【補正の内容】
【０００９】
この方法では、不足状態になった遊技島のパチンコ玉貯留量が所定時間に渡って不足前の状態以上になっていた場合に初めて他の遊技島に対して行った返却制限を解除する。この結果、本発明方法によれば、不足状態になった遊技島が不足前の状態に安定的に復帰した場合にのみ、他の遊技島に対して行った返却制限を解除することとなり、不足状態の解消がより確実となるのである。また、不足状態の調整の場合と同様、より確実に過剰状態を調整することができる。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１５
【補正方法】変更
【補正の内容】
【００１５】
また、上記の様な方法を実施するに適する本発明のパチンコ玉貯留量調整装置は、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整装置であって、各パチンコ玉貯留手段のパチンコ玉貯留量が所定の不足状態になったか否かを検出する不足状態検出手段と、該不足状態検出手段によってパチンコ玉の貯留量が所定の不足状態になったことが検出されたとき、当該状態が検出された遊技島以外の所定の遊技島のパチンコ玉返却手段によるパチンコ玉の返却を制限する他島返却制限手段と、該他島返却制限手段によりパチンコ玉の返却が制限された後、前記不足状態の検出された遊技島のパチンコ玉貯留量が当該不足状態が検出される前の所定状態に復帰したか否かを検出する不足前状態復帰検出手段と、該不足前状態復帰検出手段によって不足前の所定状態に復帰したことが検出されたら計時を開始する不足前状態復帰後計時手段と、該不足前状態復帰後計時手段によって所定時間が計時されたら、前記他島返却制限手段による返却の制限を解除する他島制限解除手段と、各パチンコ玉貯留手段のパチンコ玉貯留量が所定の過剰状態になったか否かを検出する過剰状態検出手段と、該過剰状態検出手段によってパチンコ玉の貯留量が所定の過剰状態になったことが検出されたとき、当該状態が検出された遊技島のパチンコ玉返却手段によるパチンコ玉の返却を制限する自島返却制限手段と、該自島返却制限手段によりパチンコ玉の返却が制限された後、前記過剰状態の検出された遊技島のパチンコ玉貯留手段が当該過剰状態が検出される前の所定状態に復帰したか否かを検出する過剰前状態復帰検出手段と、該過剰前状態復帰検出手段によって過剰前の所定状態に復帰したことが検出されたら計時を開始する過剰前状態復帰後計時手段と、該過剰前状態復帰後計時手段によって所定時間が計時されたら、前記自島返却制限手段による返却の制限を解除する自島制限解除手段とを備えることを特徴とする。
【手続補正１２】
【補正対象書類名】明細書
【補正対象項目名】００１６
【補正方法】変更
【補正の内容】
【００１６】
この装置は、最初に説明した方の調整方法の実施に適するものであり、ある遊技島のパチンコ玉貯留量が所定の不足状態になると、他島返却制限手段が作動し、パチンコ玉貯留量が不足状態になった遊技島以外の所定の遊技島（例えば隣の遊技島）でのパチンコ玉返却手段によるパチンコ玉の返却を制限する。こうして他の遊技島のパチンコ玉の返却が制限されるので、遊技客は、こうした制限のない島へとパチンコ玉を返却するようになる。この結果、玉貯留量が不足状態となった遊技島へと遊技客が自然に誘導され、不足を解消し易くなり、やがて不足が解消して不足前の所定の状態に復帰する。従来技術では、この時点で制限を解除していたのであるが、本発明の装置では、不足前状態復帰後計時手段が
、この時点から計時を開始し、さらに、所定時間の間、他島返却制限手段による制限が続行される。この結果、上記の様に遊技客が不足状態に陥った遊技島へと誘導される状態が継続し、当該遊技島の不足状態は十分に解消する。そして、他島制限解除手段が返却制限を解除することによって上記の様な誘導がなされなくなったとしても、再び直ちに不足状態に陥るということがなく、頻繁な制限の繰り返しを回避することができる。また、ある遊技島のパチンコ玉貯留量が所定の過剰状態になると、自島返却制限手段が作動し、当該遊技島のパチンコ玉返却手段によるパチンコ玉の返却を制限する。こうしてパチンコ玉の返却が制限されるので、当該遊技島からは景品玉や貸し玉として排出しながら貯留量を自然に減少させ、やがて過剰前の所定の状態に復帰する。従来技術では、この時点で制限を解除していたのであるが、本発明の装置では、過剰前状態復帰後計時手段が、この時点から計時を開始し、さらに、所定時間の間、自島返却制限手段による制限が続行される。この結果、貯留量が自然に減少する状態が継続し、当該遊技島の過剰状態は十分に解消する。そして、自島制限解除手段が返却制限を解除することによって景品交換のための返却が可能になったとしても、再び直ちに過剰状態に陥るということがなく、頻繁な制限の繰り返しを回避することができる。
【手続補正１３】
【補正対象書類名】明細書
【補正対象項目名】００１７
【補正方法】変更
【補正の内容】
【００１７】
また、２番目に説明した方法の実施には、複数の遊技島がそれぞれ、入賞時の景品玉等として払い出すパチンコ玉を貯留するパチンコ玉貯留手段と、遊技者が景品交換のために計数しようとするパチンコ玉を受け入れ、パチンコ玉の計数及び該計数結果の出力をすると共に、受け入れたパチンコ玉を前記パチンコ玉貯留手段へ返却するパチンコ玉返却手段とを備える独立島方式の遊技場における各遊技島のパチンコ玉貯留量調整装置であって、各パチンコ玉貯留手段のパチンコ玉貯留量が所定の不足状態になったか否かを検出する不足状態検出手段と、該不足状態検出手段によってパチンコ玉の貯留量が所定の不足状態になったことが検出されたとき、当該状態が検出された遊技島以外の所定の遊技島のパチンコ玉返却手段によるパチンコ玉の返却を制限する他島返却制限手段と、該他島返却制限手段によりパチンコ玉の返却が制限された後、前記不足状態の検出された遊技島のパチンコ玉貯留量が当該不足状態が検出される前の所定状態に復帰したか否かを検出する不足前状態復帰検出手段と、該不足前状態復帰検出手段によって不足前の所定状態に復帰したことが検出されたら計時を開始する不足前状態復帰後計時手段と、該不足前の所定状態に復帰した遊技島において、再び前記所定の不足状態が検出されることなく、前記不足前状態復帰後計時手段によって所定時間が計時されたら、前記他島返却制限手段による返却の制限を解除する他島制限解除手段と、各パチンコ玉貯留手段のパチンコ玉貯留量が所定の過剰状態になったか否かを検出する過剰状態検出手段と、該過剰状態検出手段によってパチンコ玉の貯留量が所定の過剰状態になったことが検出されたとき、当該状態が検出された遊技島のパチンコ玉返却手段によるパチンコ玉の返却を制限する自島返却制限手段と、該自島返却制限手段によりパチンコ玉の返却が制限された後、前記過剰状態の検出された遊技島のパチンコ玉貯留手段が当該過剰状態が検出される前の所定状態に復帰したか否かを検出する過剰前状態復帰検出手段と、該過剰前状態復帰検出手段によって過剰前の所定状態に復帰したことが検出されたら計時を開始する過剰前状態復帰後計時手段と、該過剰前の所定状態に復帰した遊技島において、再び前記所定の過剰状態が検出されることなく、前記過剰前状態復帰後計時手段によって所定時間が計時されたら、前記自島返却制限手段による返却の制限を解除する自島制限解除手段とを備えることを特徴とするパチンコ玉貯留量調整装置を用いればよい。
【手続補正１４】
【補正対象書類名】明細書
【補正対象項目名】００１８
【補正方法】変更
【補正の内容】
【００１８】
他島制限解除手段は、所定時間に渡って再び不足状態に陥らない程度に、充分に貯留量が復帰した場合にのみ、他島への返却制限を解除するので、不足状態の解消がより確実となり、他島側から見たとき、すぐに返却制限状態になってしまうことがない。また、自島制限解除手段は、自島が確実に過剰状態を解消し、それが安定的となったときにのみ返却制限を解除するので、当該遊技島がすぐに再び過剰状態となることがなく、上述した様な自島の頻繁な返却制限を回避する効果がより確実になる。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００５１
【補正方法】変更
【補正の内容】
【００５１】
この実施例によれば、隣島は、返却制限が開始されてから７分経過後には、常に一旦返却可能な状態に復帰する。従って、第２実施例では、最長１４分弱に渡って隣島の返却制限が続行する場合があり得たが、この第３実施例では少なくとも７分後には一旦解除されるので、あまりにも長時間に渡って隣島の返却が制限され続けることがなくなる。
【手続補正３１】
【補正対象書類名】明細書
【補正対象項目名】００５３
【補正方法】変更
【補正の内容】
【００５３】
過剰側の制御についても、この不足側の制御と同様に、Ｓ１４０とＳ１５０の間に、もう一度、パチンコ玉貯留量が１８万個未満であるか否かを判断し（Ｓ１４５）、パチンコ玉貯留量が１８万個未満であり続け、かつ、Ｎｏ．２タイマー５７がタイムアップした場合にだけＳ１６０を実行するように構成してある。
【手続補正３２】
【補正対象書類名】明細書
【補正対象項目名】００５５
【補正方法】変更
【補正の内容】
【００５５】
この第５実施例では、Ｓ３０でＹＥＳとなった後にＮｏ．３タイマー５８をリセットスタートするところまでは第３実施例と同じであるが、この後で、まず、もう一度、パチンコ玉貯留量が４万個以上であるか否かを判断し（Ｓ７３）、パチンコ玉貯留量が４万個以上であり続ける場合にだけ、Ｓ７５以下の処理へ進む。なお、Ｓ７５，Ｓ８０共に「ＮＯ」の場合は、再びＳ７３へ戻る。また、Ｓ８５へ進んで一旦解除処理が実施された場合も、Ｓ８７でＮｏ．１タイマー５６をリセットスタートしたらＳ７３へ戻る。
【手続補正３３】
【補正対象書類名】明細書
【補正対象項目名】００５６
【補正方法】変更
【補正の内容】
【００５６】
過剰側の制御についても、この不足側の制御と同様に、Ｓ１４０とＳ１５０の間に、もう一度、パチンコ玉貯留量が１８万個未満であるか否かを判断し（Ｓ１４５）、パチンコ玉貯留量が１８万個未満であり続け、かつ、Ｎｏ．２タイマー５７がタイムアップした場合にだけＳ１６０を実行するように構成してある。
【手続補正３４】
【補正対象書類名】図面
【補正対象項目名】図８
【補正方法】変更
【補正の内容】
【図８】
2006122725.tif 000016
【手続補正３５】
【補正対象書類名】図面
【補正対象項目名】図１０
【補正方法】変更
【補正の内容】
【図１０】
2006122725.tif 000017